(57)【要約】【課題】上桟などの横框に換気装置を組み込んだ場合であっても、火災時に補強芯材の脱落を確実に防止し、防火性能（遮熱／遮煙／防火性能）を確保することを可能にしたサッシ窓を提供する。【解決手段】サッシの横框１１を、室内側側壁部１８と室外側側壁部１７を備えて中空構造で形成し、横方向に延設される框体部２８と、框体部２８に組み込まれた換気機構部とを備えて構成する。換気機構部は、室内側側壁部１８に貫通形成された室内側通気口２４と、室外側側壁部１７に貫通形成された室外側通気口２５とを備え、框体部２８は、室内側通気口２４と室外側通気口２５に連通する通気経路３０と、障子を保持する障子保持凹部２２とを区画する仕切り２７を備える。且つ、仕切り２７に固着して補強芯材３５を障子保持凹部２２に配設し、仕切り２７の通気経路３０を形成する一面に、火災時に加熱されて膨張する第一の熱膨張耐火材３７を取り付けて構成する。【選択図】図４
2015190298.tif 000002
【特許請求の範囲】
【請求項１】
サッシの横框が、室内側側壁部と室外側側壁部を備えて中空構造で形成され、横方向に延設される框体部と、前記框体部に組み込まれた換気機構部とを備えて構成されており、
前記換気機構部は、前記室内側側壁部に貫通形成された室内側通気口と、前記室外側側壁部に貫通形成された室外側通気口とを備え、
前記框体部は、前記室内側通気口と前記室外側通気口に連通する通気経路と、障子を保持する障子保持凹部とを区画する仕切りを備え、
且つ、前記仕切りに固着して補強芯材が障子保持凹部に配設されるとともに、前記仕切りの通気経路を形成する一面に、火災時に加熱されるとともに膨張する第一の熱膨張耐火材が取り付けられていることを特徴とするサッシ窓。
【請求項２】
請求項１記載のサッシ窓において、
前記仕切りの障子保持凹部を形成する他面及び／又は該他面に固着される前記補強芯材に、火災時に加熱されるとともに膨張する第二の熱膨張耐火材が取り付けられていることを特徴とするサッシ窓。
【発明の詳細な説明】
【技術分野】
【０００１】
本発明は、換気装置を備えたサッシ窓に関する。
【背景技術】
【０００２】
従来、窓（サッシ窓）として、引違い窓、上げ下げ窓、ＦＩＸ窓（はめ殺し窓）、外開き窓、内倒し窓、折りたたみ窓、回転窓などのそれぞれ開閉方式や機能が異なる各種窓（サッシ窓）が住宅などの建物に用いられている。また、この種の窓のサッシ（框）には、アルミサッシやスチールサッシ、樹脂サッシ、さらにアルミ形材と樹脂形材を組み合わせた複合サッシなどが多用されている。
【０００３】
また、例えばシックハウス対策や省エネルギー化などを目的に、自然空気を室内に給気し、室内空気を外部に排気する換気装置をサッシの上桟などの横框に一体に設け、換気の機能を備えたサッシ窓も用いられている。
【０００４】
例えば、換気装置は、中空構造で形成され、窓の幅方向（横框の長手方向）に所定の長さで延設される框体部を備えている。また、この框体部には、室内側側壁部に、幅方向に所定の間隔をあけて並設されたスリット状の複数の室内側通気口が貫通形成され、室外側側壁部に、幅方向に所定の間隔をあけて並設されたスリット状の複数の室外側通気口が貫通形成されている。さらに、框体部には、上端部側や下端部側に、横框に係合させるなどして取り付けるための係合凹部と、ガラスパネル（障子）を嵌合させて保持するための障子保持凹部とが設けられている。
【０００５】
さらに、中空部に、上端を室内側通気口の上方に回動自在に接続して作動板が設けられている。この作動板は、閉姿勢で室内側側壁部の内面に面接触して室内側通気口を塞ぎ、開姿勢で室内側側壁部に対して傾動して室内側通気口を開き、換気が行なえるように室内と、中空部及び室外側通気口を通じて室外とを連通させる。
【０００６】
そして、このように構成した換気装置をサッシに設けたサッシ窓は、従来のように建物の壁に換気口を開け、換気装置を設置することを不要にでき、換気装置を設けることで建物の室内外の見栄えを悪くしたり、断熱性の低下などを招くことがないため、近年、多くの建物に適用されている。
【０００７】
さらに、火災時に換気装置の室内側通気口、室外側通気口を通じて火炎や煙、熱が貫通（流通、伝播）することを防止するため、所定温度で加熱されるとともに膨張する熱膨張耐火材を設けて構成した換気装置、ひいては防火用換気装置を備えた防火サッシがある（例えば、特許文献１参照）。
【０００８】
この防火用換気装置では、作動板の下方位置の中空部内の室外側通気口に隣接した位置に、例えばエポキシ樹脂に黒鉛を混合するなどして平板状で帯状に形成された熱膨張耐火材を貼設する。そして、火災時に熱膨張耐火材がある設定温度以上で加熱されると、中空部の下方側を埋め尽くすように膨張し、室外側通気口を閉塞させる。これにより、火炎や煙、熱が非火災側に伝わることを防止でき、換気装置に起因して延焼などが発生することを防止できる。
【０００９】
一方、上桟（上桟などの横框）自体に室内側通気口や室外側通気口を設け、換気装置を上桟に組み込んで構成したサッシ窓もある。このように上桟に換気装置を組み込むことにより、上桟の下方に換気装置を設置する場合と比較し、ガラスパネルの面積（採光面積）を大きく採ることができる。また、見栄えを良くすることができ、断熱性能の低下を抑止でき、組立時の作業性を大幅に向上させることができる。
【００１０】
また、図６に示すように、上桟１に換気装置を組み込む場合には、一般に、室内側通気口２や室外側通気口３を貫通形成することによる強度低下を補うため、補強芯材４を取り付けるようにしている。そして、この補強芯材４は、例えばＬ字状やコの字状で横方向に所定の長さを有する金属部材が用いられ、上桟１の室内側通気口２と室外側通気口３を介して室内及び室外と連通する中空部５内の通気経路６と、ガラスパネルを保持する障子保持凹部（飲み込み部）７とを区画する仕切り８に下面側からビス９で固定し、Ｌ字状（やコの字状）の一辺部４ａを仕切り８に、他辺部４ｂを障子保持凹部７の側壁部（室内側側壁部１０）に沿うようにして設置される。
【先行技術文献】
【特許文献】
【００１１】
【特許文献１】特許第４８９１６２８号公報
【発明の概要】
【発明が解決しようとする課題】
【００１２】
しかしながら、上記従来の上桟に換気装置を組み込んでなるサッシ窓においては、上桟に室内側通気口や室外側通気口が設けられているため、火災時に中空部の仕切りが加熱により軟化したり、仕切りに補強芯材をねじ止めするためのビスが外れ、補強芯材が変形したり、脱落するおそれがある。
【００１３】
そして、このように仕切りの軟化やビス、補強芯材の脱落が生じることで、上桟自体の強度が著しく低下し、ガラスパネルを保持できなくなり、結果として防火性能を確保できなくなるおそれがあった。
【００１４】
本発明は、上記事情に鑑み、上桟などの横框に換気装置を組み込んだ場合であっても、火災時に補強芯材の脱落を確実に防止し、防火性能（遮熱／遮煙／防火性能）を確保することを可能にしたサッシ窓を提供することを目的とする。
【課題を解決するための手段】
【００１５】
上記の目的を達するために、この発明は以下の手段を提供している。
【００１６】
本発明のサッシ窓は、サッシの横框が、室内側側壁部と室外側側壁部を備えて中空構造で形成され、横方向に延設される框体部と、前記框体部に組み込まれた換気機構部とを備えて構成されており、前記換気機構部は、前記室内側側壁部に貫通形成された室内側通気口と、前記室外側側壁部に貫通形成された室外側通気口とを備え、前記框体部は、前記室内側通気口と前記室外側通気口に連通する通気経路と、障子を保持する障子保持凹部とを区画する仕切りを備え、且つ、前記仕切りに固着して補強芯材が障子保持凹部に配設されるとともに、前記仕切りの通気経路を形成する一面に、火災時に加熱されるとともに膨張する第一の熱膨張耐火材が取り付けられていることを特徴とする。
【００１７】
また、本発明のサッシ窓においては、前記仕切りの障子保持凹部を形成する他面及び／又は該他面に固着される前記補強芯材に、火災時に加熱されるとともに膨張する第二の熱膨張耐火材が取り付けられていることが望ましい。
【発明の効果】
【００１８】
本発明のサッシ窓においては、通気経路と障子保持凹部を区画する仕切りの一面に第一の熱膨張耐火材を設置することにより、火災時にこの第一の熱膨張耐火材が加熱されるとともに膨張し、仕切りの一面や補強芯材を固着するビスなどを被覆することができる。これにより、第一の熱膨張耐火材の防火性能（遮熱性、耐熱性、耐火性、防火性など）によって、火災時に仕切りが軟化することを防止でき、仕切りにねじ止めしたビスが外れるなどして補強芯材が変形、脱落することを防止できる。
【００１９】
よって、本発明のサッシ窓においては、仕切りの軟化やビス、補強芯材の脱落を防止できることで横框自体の強度が低下することがなく、ガラスパネルなどの障子を確実に保持することができ、防火性能を好適に確保することが可能になる。
【００２０】
また、本発明のサッシ窓においては、仕切りの障子保持凹部を形成する他面及び／又はこの他面に固着される補強芯材にも第二の熱膨張耐火材が取り付けられていることにより、第一の熱膨張耐火材と第二の熱膨張耐火材によって仕切りやビスを仕切りの一面側と他面側の両側を火災時の熱などから保護することができる。
これにより、さらに確実に、火災時に仕切りが軟化することを防止でき、仕切りにねじ止めしたビスが外れるなどして補強芯材が変形、脱落することを防止できる。
【図面の簡単な説明】
【００２１】
【図１】本発明の一実施形態に係るサッシ窓を室内側から見た図である。
【図２】本発明の一実施形態に係るサッシ窓を室外側から見た図である。
【図３】本発明の一実施形態に係るサッシ窓、上桟（横框）、換気装置を示す斜視図である。
【図４】本発明の一実施形態に係る上桟（横框）、換気装置を示す断面図である。
【図５】本発明の一実施形態に係る上桟（横框）、換気装置を示す断面図であり、熱膨張耐火材によって通気経路を形成する仕切りを被覆した状態を示す図である。
【図６】従来の上桟（横框）に換気装置を組み込んだ状態を示す断面図である。
【発明を実施するための形態】
【００２２】
以下、図１から図５を参照し、本発明の一実施形態に係るサッシ窓について説明する。
【００２３】
本実施形態のサッシ窓Ａは、引違い窓であり、図１から図３に示すように、上桟（上框／横框）１１、下桟（下框／横框）１２、一方の縦桟（縦框）１３、他方の縦桟（召し合せ框／縦框）１４からなるサッシ（框）１５と、サッシ１５に外周端を保持されて窓面を形成するガラスパネル（障子）１６とを備えて構成されている。
【００２４】
なお、本実施形態のサッシ窓Ａは、例えば２枚のガラスパネルをサッシに保持させ、複層パネルのサッシ窓として構成してもよい。また、本実施形態のサッシ窓は、引違い窓の他に、上げ下げ窓、ＦＩＸ窓（はめ殺し窓）、外開き窓、内倒し窓、折りたたみ窓、回転窓などのそれぞれ開閉方式や機能が異なる各種サッシ窓であってもよい。
【００２５】
本実施形態において、サッシ１５は、アルミ形材や樹脂形材を用い、中空構造で形成されている。また、上桟１１は、図４（図１から図３参照）に示すように、複数のアルミ形材を組み付けて中空構造に形成されるとともに、室外側側壁部１７がアルミ形材を用いて形成され、室内側側壁部１８が樹脂形材、アルミ形材を用いて形成されている。さらに、この上桟１１は、上端部側に窓枠２０の上枠に係合する係合凹部２１が形成され、下端部側にガラスパネル１６の上端側を係合させて保持するための障子保持凹部２２が形成されている。
【００２６】
また、本実施形態では、この上桟１１が換気装置２３を組み込んで構成されている。
具体的に、本実施形態の換気装置２３は、上桟１１の室内側側壁部１８に貫通形成され、上桟１１の長手方向（サッシ窓Ａの幅方向）Ｔ１に所定の間隔をあけて並設されたスリット状の複数の室内側通気口２４と、室外側側壁部１７に貫通形成され、長手方向Ｔ１に所定の間隔をあけて並設されたスリット状の複数の室外側通気口２５とを備えて構成されている。
【００２７】
また、上桟１１には、係合凹部２１を区画する上部仕切り２６と、障子保持凹部２２を区画する下部仕切り（仕切り）２７が設けられ、これら上部仕切り２６と下部仕切り２７と室内側側壁部１８と室外側側壁部１７とによって框体部２８、さらに中空部２９が形成されている。さらに、室内側通気口２４は、室内側側壁部１８の上方に配設されて中空部２９に連通し、室外側通気口２５は、室外側側壁部１７の下部仕切り２７側の下方に配設されて中空部２９に連通している。
これにより、室内側通気口２４と室外側通気口２５を介して中空部２９が室内と室外に連通し、これら室内側通気口２４と室外側通気口２５と中空部２９によって通気経路３０が形成されている。
【００２８】
また、本実施形態の換気装置２３は、上端を室内側通気口２４の上方に長手方向Ｔ１に延びる軸線Ｏ１周りに回動自在に接続して中空部２９内に配設された作動板３１を備えている。そして、この作動板３１は、閉姿勢で室内側側壁部１８の内面に沿って配設されて室内側通気口２４を塞ぐ。このとき、作動板３１の一面に取り付けてパッキン３２が長手方向Ｔ１に延設されており、閉姿勢でこのパッキン３２が室内側側壁部１８の内面に当接し、作動板３１とパッキン３２で室内側通気口２４を塞ぐように構成されている。また、作動板３１は、軸線Ｏ１周りに回動した開姿勢で室内側側壁部１８に対して傾動し、室内側通気口２４を開き、通気経路３０に空気が流れるように室内と中空部ひいては室外を連通させる。
【００２９】
そして、本実施形態では、室内側通気口２４と室外側通気口２５と作動板３１（パッキン３２含む）とにより換気装置２３の換気機構部が構成されている。
【００３０】
一方、本実施形態のサッシ窓Ａにおいては、障子保持凹部２２に、断面Ｌ字状で上桟１１の長手方向Ｔ１に延びる鋼製の補強芯材３５が設置されている。この補強芯材３５は、一辺部３５ａを下部仕切り２７の下面に沿うように、他辺部３５ｂを室内側側壁部１８の内面に沿うように配設されている。また、このとき、補強芯材３５は、一辺部３５ａを障子保持凹部２２側から下部仕切り２７にビス３６でねじ止めして固定されている。
【００３１】
さらに、本実施形態のサッシ窓Ａにおいては、換気装置２３が所定の温度で加熱されるとともに膨張する平板状で帯状の熱膨張耐火材３７、３８を備え、防火用の換気装置として構成されている。
【００３２】
また、本実施形態では、熱膨張耐火材３７、３８として、下部仕切り（仕切り）２７の通気経路３０側の一面に取り付けて設けられ、火災時に加熱されて膨張するとともに下部仕切り２７の一面及び／又は補強芯材３５を固定したビス３６を被覆する第一の熱膨張耐火材３７と、下部仕切り２７の他面及び／又は補強芯材３５の一辺部３５ａに取り付けて設けられ、火災時に加熱されて膨張するとともに下部仕切り２７の他面側を被覆する第二の熱膨張耐火材３８とが個別に具備されている。
【００３３】
ここで、本実施形態では、例えば、第一の熱膨張耐火材３７や第二の熱膨張耐火材３８が、エポシキ樹脂などの基材に黒鉛を混合し、所定温度で膨張が開始するように形成されている。
なお、本発明に係る熱膨張耐火材は、加熱によって膨張して断熱性、耐火性等（防火性能）を発揮するものであればよく、エポキシ樹脂、ＰＶＣ、黒鉛を含め、炭素繊維、含水ケイ酸ナトリウム、ポリ燐酸アンモニウム、リン酸アンモニウム、リン酸メラミン、メラミン、尿素 など、加熱により膨張、発泡するあらゆる材料を適宜選択的に用いて形成すればよい。
【００３４】
そして、上記のように構成した本実施形態のサッシ窓Ａにおいては、図４及び図５に示すように、通気経路３０と障子保持凹部２２を区画する下部仕切り２７の一面に第一の熱膨張耐火材３７を設置することにより、火災時にこの第一の熱膨張耐火材３７が加熱されるとともに膨張し、下部仕切り２７の一面や補強芯材３５を固着するビス３６などを被覆することができる。
【００３５】
これにより、第一の熱膨張耐火材３７の防火性能（遮熱性、耐熱性、耐火性、防火性など）によって、火災時に仕切り２７が軟化することを防止でき、仕切り２７にねじ止めしたビス３６が外れるなどして補強芯材３５が変形、脱落することを確実に防止できる。
【００３６】
よって、本実施形態のサッシ窓Ａにおいては、仕切り２７の軟化やビス３６、補強芯材３５の脱落を防止することで、上桟１１自体の強度が低下することがなく、ガラスパネル１６を確実に保持することができ、防火性能を確保することが可能になる。
【００３７】
また、本実施形態のサッシ窓Ａにおいては、仕切り２７の障子保持凹部２２を形成する他面及び／又はこの他面に固着される補強芯材３５にも第二の熱膨張耐火材３８が取り付けられ、火災時に加熱されるとともにこの第二の熱膨張耐火材３８も膨張して防火性能を発揮する。これにより、第一の熱膨張耐火材３７と第二の熱膨張耐火材３８によって仕切り２７やビス３６を仕切り２７の一面側と他面側の両面側から保護することができる。よって、さらに確実に、火災時に仕切り２７が軟化することを防止でき、仕切り２７にねじ止めしたビス３６が外れるなどして補強芯材３５が変形、脱落することを防止できる。
【００３８】
以上、本発明に係るサッシ窓の一実施形態について説明したが、本発明は上記の一実施形態に限定されるものではなく、その趣旨を逸脱しない範囲で適宜変更可能である。
【００３９】
例えば、本実施形態では、熱膨張耐火材として、第一の熱膨張耐火材３７と第二の熱膨張耐火材３８が設けられているものとして説明を行ったが、第一の熱膨張耐火材３７のみを備えて構成してもよい。
【００４０】
また、第一の熱膨張耐火材３７は、火災時に加熱されて膨張した際に、略全ての下部仕切り２７の一面を被覆するように設けられていても、一部の一面を被覆するように設けられていてもよい。特に、補強芯材３５を固定するビス３６などを被覆できるように第一の熱膨張耐火材３７が設けられていれば、補強芯材３５ひいてはガラスパネル１６の変形や抜け、割れが生じることを防止でき、本実施形態と同様の作用効果を得ることができる。よって、補強芯材３５を固定するビス３６などを被覆できる部分のみに第一の熱膨張耐火材３７を設けるようにしてもよい。
【００４１】
さらに、換気装置２３を組み込んだり、取り付けたりする横框は、上桟１１でなく、下桟１２や中桟であってもよい。
【符号の説明】
【００４２】
１      従来の上桟
２      室内側通気口
３      室外側通気口
４      補強芯材
４ａ    一辺部
４ｂ    他辺部
５      中空部
６      通気経路
７      障子保持凹部（飲み込み部）
８      仕切り
９      ビス
１０    室内側側壁部
１１    上桟（上框／横框）
１２    下桟（下框／横框）
１３    一方の縦桟（縦框）
１４    他方の縦桟（召し合せ框／縦框）
１５    サッシ（框）
１６    ガラスパネル（障子）
１７    室外側側壁部
１８    室内側側壁部
２０    窓枠
２１    係合凹部
２２    障子保持凹部
２３    換気装置
２４    室内側通気口
２５    室外側通気口
２６    上部仕切り
２７    下部仕切り（仕切り）
２８    框体部
２９    中空部
３０    通気経路
３１    作動板
３２    パッキン
３５    補強芯材
３５ａ  一辺部
３５ｂ  他辺部
３６    ビス
３７    第一の熱膨張耐火材（熱膨張耐火材）
３８    第二の熱膨張耐火材（熱膨張耐火材）
Ａ      サッシ窓
Ｏ１    軸線
Ｔ１    長手方向（サッシ窓の幅方向）
【図１】
2015190298.tif 000003
【図２】
2015190298.tif 000004
【図３】
2015190298.tif 000005
【図４】
2015190298.tif 000006
【図５】
2015190298.tif 000007
【図６】
2015190298.tif 000008